(57)【特許請求の範囲】
【請求項１】
中央部に支持孔とこの支持孔を囲んでその上側に設けた湾曲凹部とを有し、縁部より複数の係止部材を垂設して成る支持板と、握り部とこの握り部を一端部に取り付けたロッド部を有し、前記支持板の前記支持孔を貫通し、前記ロッド部の中間部に取り付けた湾曲凸部材を前記湾曲凹部に嵌合させ前記支持板に対し少なくとも揺動可能に設けた操作レバーと、この操作レバーのロッド部を貫通させて先端側に係止されたスイッチ押圧部と、前記ロッド部を貫通させ前記支持孔の下部側に設けた受座部に接する摩耗防止部材と、前記ロッド部を貫通させ前記摩耗防止部材に接するバネ受部材と、このバネ受部材と前記スイッチ押圧部との間に弾設された弾性手段と、前記スイッチ押圧部の回りに配置された複数のスイッチから成るスイッチ群と、このスイッチ群を挟んで前記支持板の係止部材に係止されたところのその中央部に設けた取付孔に前記スイッチ押圧部を挿通させてガイドするガイド筒体を回動調節可能に設けたガイド板とで構成したことを特徴とする、複合操作スイッチ。
【請求項２】
中央部に支持孔とこの支持孔を囲んでその上側に設けた湾曲凹部とを有し、縁部より複数の係止部材を垂設して成る支持板と、握り部とこの握り部を一端部に取り付けたロッド部を有し、前記支持板の前記支持孔を貫通し、前記ロッド部の中間部に取り付けた湾曲凸部材を前記湾曲凹部に嵌合させ前記支持板に対し少なくとも揺動可能に設けた操作レバーと、この操作レバーのロッド部を貫通させて先端側に係止されたスイッチ押圧部と、前記ロッド部を貫通させた支持孔に周りに設けた受座部に接するバネ受部材と、このバネ受部材と前記スイッチ押圧部との間に弾設された弾性手段と、前記スイッチ押圧部の回りに配置された複数のスイッチから成るスイッチ群と、このスイッチ群を挟んで前記支持板の係止部材に係止されたところのその中央部に設けた取付孔へ前記スイッチ押圧部を挿通させてガイドするガイド筒体を回動調節可能に設けたガイド板とで構成し、前記ガイド筒体を前記取付孔へ回動調節可能に取り付けるに当たり、前記ガイド筒体をその胴部の一端部に鍔部を有し、前記胴部の両側部に一対の係止部を有し、さらに前記胴部の中央部を貫通して平面略矩形状を呈した変形ガイド孔を有するものとし、前記取付孔をその中央部に軸心を共通にして設けたところの前記鍔部を収容する大径部と前記胴部を収容するところの小径部から成る段付き取付孔とし、前記小径部にはその内周の対向位置に軸方向を貫通するところの前記係止部を挿通させるガイド溝が設けられると共に、さらに前記小径部の縁部には、前記係止部と嵌合する各一対の第１嵌合凹部と第２嵌合凹部が所定間隔を空けて軸方向へ貫通することなく対向して設けられ、前記ガイド板には段付き取付孔から外方向に向けて互いに対向するガイド長溝が設けられ、このガイド長溝にはそれぞれ弾性片がその自由端側で前記鍔部を押えるように前記ガイド板と一体に設けられていることを特徴とする、複合操作スイッチ。
【請求項３】
中央部に支持孔とこの支持孔を囲んでその上側に設けた湾曲凹部とを有し、縁部より複数の係止部材を垂設して成る支持板と、握り部とこの握り部を一端部に取り付けたロッド部を有し、前記支持板の前記支持孔を貫通し、前記ロッド部の中間部に取り付けた湾曲凸部材を前記湾曲凹部に嵌合させ少なくとも揺動可能に設けた操作レバーと、この操作レバーのロッド部を貫通させて先端側に係止されたスイッチ押圧部と、前記ロッド部を貫通させ前記支持孔の下部側に設けた受座部接する摩耗防止部材と、前記ロッド部を貫通させ前記摩耗防止部材に接するバネ受部材と、このバネ受部材と前記スイッチ押圧部との間に弾設された弾性手段と、前記スイッチ押圧部の回りに配置された複数のスイッチから成るスイッチ群と、このスイッチ群を挟んで前記支持板の係止部材に係止されたところのその中央部に設けた取付孔へ前記スイッチ押圧部を挿通させてガイドするガイド筒体を回動調節可能に設けたガイド板とで構成し、前記ガイド筒体を前記取付孔へ回動調節可能に取り付けるに当たり、前記ガイド筒体をその胴部の一端部に鍔部を有し、前記胴部の両側部に一対の係止部を有し、さらに前記胴部の中央部を貫通して平面略矩形状を呈した変形ガイド孔を有するものとし、前記取付孔をその中央部に軸心を共通にして設けたところの前記鍔部を収容する大径部と前記胴部を収容するところの小径部から成る段付き取付孔とし、前記小径部にはその内周の対向位置に軸方向を貫通するところの前記係止部を挿通させるガイド溝が設けられると共に、さらに前記小径部の縁部には、前記係止部と嵌合する各一対の第１嵌合凹部と第２嵌合凹部が所定間隔を空けて軸方向へ貫通することなく対向して設けられ、前記ガイド板には段付き取付孔から外方向に向けて互いに対向するガイド長溝が設けられ、このガイド長溝にはそれぞれ弾性片がその自由端側で前記鍔部を押えるように前記ガイド板と一体に設けられていることを特徴とする、複合操作スイッチ。
【請求項４】
前記摩耗防止部材は、前記受座部に設けた凹部に嵌め込まれ、前記バネ受部材はその挿通孔の縁部に設けたリング状の係合部を前記摩耗防止部材の挿通孔へ嵌入させていることを特徴とする、請求項１又は３のいずれか１項に記載の複合操作スイッチ。
【請求項５】
前記ガイド筒体の鍔部と前記段付き取付孔の大径部との間には、軸方向に所定の間隙が設けられていることを特徴とする、請求項２又は３のいずれか１項に記載の複合操作スイッチ。
【請求項６】
前記スイッチ群は、その中央部に前記操作レバーに取り付けた前記スイッチ押圧部を有する筒体を挿通させる挿通孔を設けた回路基板と、この回路基板の前記挿通孔の周りに前記スイッチ押圧部を囲んで取り付けた複数のスイッチとで構成したことを特徴とする、請求項１乃至５のいずれか１項に記載の複合操作スイッチ。
【請求項７】
請求項１乃至６のいずれか１項に記載の複合操作スイッチを取り付けたことを特徴とする、操作盤。
【発明の詳細な説明】
【技術分野】
【０００１】
本発明は、一つの操作レバーで複数のスイッチを開閉することの出来る複合操作スイッチ並びにこの複合操作スイッチを用いた例えばテレビゲーム機などの操作盤に関する。
【背景技術】
【０００２】
従来、テレビゲーム機を用いてゲームを行う場合、操作盤に取り付けた支持板に設置されたところの複数のマイクロスイッチを一つの操作レバーで適宜選択してＯＮ、ＯＦＦできる複合操作スイッチとして下記特許文献１に記載されたものが公知である。
【０００３】
この特許文献１に記載された複合スイッチは、中央部に支持孔を有し、この支持孔を囲んで湾曲凹部を設けた支持板と、その中央部に湾曲凹部と嵌合する湾曲凸部材を有し、支持孔を貫通して支持板に揺動自在に支持された操作レバーと、この操作レバーを囲んで前記支持板上に囲設された複数のマイクロスイッチ群と、前記操作レバーの自由端側を挿通させる変形ガイド孔を有し前記マイクロスイッチを固定すべく前記支持板側より突設した係止部材に着脱可能に取り付けて成るガイド板とから構成されている。そして、操作レバーが支持板の支持孔より突出した部分には、バネ受部材、圧縮コイルスプリング及び小径の当接部と大径のスイッチ押圧部を有する筒体などの各部材が順に嵌着されると共に、バネ受部材を支持板の支持孔の下面に設けた受座部に当接させ、操作レバーの筒体側にＥリングを装着することによって、操作レバーが支持孔より抜け出てくることなく揺動可能に、かつ、圧縮コイルスプリングの弾力により常に自立状態を保つように支持されると共に、ガイド板には、所定範囲において回転可能に取り付けられたところの中央部に前記操作レバーの筒体を挿通させる変形ガイド孔を有するガイド筒体が取り付けられ、ガイド板にガイド筒体の所定範囲の回動を可能とするための湾曲ガイド溝が設けられている。
【先行技術文献】
【特許文献】
【０００４】
【特許文献１】特開平６−２６７３７４号公報
【発明の概要】
【発明が解決しようとする課題】
【０００５】
この従来公知の複合操作スイッチは、操作レバーの搖動操作時にバネ受部材の角部が受座部に強く当たることから、とくに受座部の部分に摩耗が生じ、操作レバーの搖動幅に微妙なずれが生じてしまい、正確なスイッチ操作が困難になってしまうというといった問題があった。
【０００６】
また、各マイクロスイッチに対するより複雑な操作、例えば同時に２つのマイクロスイッチのＯＮ、ＯＦＦ操作を行うことができるように、ガイド筒体が所定の回動範囲において回動できるように湾曲ガイド溝が設けられているが、使用中に激しく搖動操作される操作レバーによって、筒体のスイッチ押圧部がガイド筒体の変形ガイド孔に当たることから、ガイド筒体が回転してしまい、操作レバーによるマイクロスイッチのＯＮ、ＯＦＦ操作が不正確になってしまうという問題もあった。
【０００７】
本発明の目的は、耐久性を向上させ、永年使用の後にも正確なスイッチ操作を行うことができるように成した複合操作スイッチ並びにこの複合操作スイッチを用いた操作盤を提供せんとするにある。
【課題を解決するための手段】
【０００８】
上述した目的を達成するために本発明は、中央部に支持孔とこの支持孔を囲んでその上側に設けた湾曲凹部とを有し、縁部より複数の係止部材を垂設して成る支持板と、握り部とこの握り部を一端部に取り付けたロッド部を有し、前記支持板の前記支持孔を貫通し、前記ロッド部の中間部に取り付けた湾曲凸部材を前記湾曲凹部に嵌合させ前記支持板に対し少なくとも揺動可能に設けた操作レバーと、この操作レバーのロッド部を貫通させて先端側に係止されたスイッチ押圧部と、前記ロッド部を貫通させ前記支持孔の下部側に設けた受座部に接する摩耗防止部材と、前記ロッド部を貫通させ前記摩耗防止部材に接するバネ受部材と、このバネ受部材と前記スイッチ押圧部との間に弾設された弾性手段と、前記スイッチ押圧部の回りに配置された複数のスイッチから成るスイッチ群と、このスイッチ群を挟んで前記支持板の係止部材に係止されたところのその中央部に設けた取付孔に前記スイッチ押圧部を挿通させてガイドするガイド筒体を回動調節可能に設けたガイド板とで構成したことを特徴とする。
【０００９】
本発明はまた、中央部に支持孔とこの支持孔を囲んでその上側に設けた湾曲凹部とを有し、縁部より複数の係止部材を垂設して成る支持板と、握り部とこの握り部を一端部に取り付けたロッド部を有し、前記支持板の前記支持孔を貫通し、前記ロッド部の中間部に取り付けた湾曲凸部材を前記湾曲凹部に嵌合させ前記支持板に対し少なくとも揺動可能に設けた操作レバーと、この操作レバーのロッド部を貫通させて先端側に係止されたスイッチ押圧部と、前記ロッド部を貫通させた支持孔に周りに設けた受座部に接するバネ受部材と、このバネ受部材と前記スイッチ押圧部との間に弾設された弾性手段と、前記スイッチ押圧部の回りに配置された複数のスイッチから成るスイッチ群と、このスイッチ群を挟んで前記支持板の係止部材に係止されたところのその中央部に設けた取付孔へ前記スイッチ押圧部を挿通させてガイドするガイド筒体を回動調節可能に設けたガイド板とで構成し、前記ガイド筒体を前記取付孔へ回動調節可能に取り付けるに当たり、前記ガイド筒体をその胴部の一端部に鍔部を有し、前記胴部の両側部に一対の係止部を有し、さらに前記胴部の中央部を貫通して平面略矩形状を呈した変形ガイド孔を有するものとし、前記取付孔をその中央部に軸心を共通にして設けたところの前記鍔部を収容する大径部と前記胴部を収容するところの小径部から成る段付き取付孔とし、前記小径部にはその内周の対向位置に軸方向を貫通するところの前記係止部を挿通させるガイド溝が設けられると共に、さらに前記小径部の縁部には、前記係止部と嵌合する各一対の第１嵌合凹部と第２嵌合凹部が所定間隔を空けて軸方向へ貫通することなく対向して設けられ、前記ガイド板には段付き取付孔から外方向に向けて互いに対向するガイド長溝が設けられ、このガイド長溝にはそれぞれ弾性片がその自由端側で前記鍔部を押えるように前記ガイド板と一体に設けられていることを特徴とする。
【００１０】
本発明はさらに、中央部に支持孔とこの支持孔を囲んでその上側に設けた湾曲凹部とを有し、縁部より複数の係止部材を垂設して成る支持板と、握り部とこの握り部を一端部に取り付けたロッド部を有し、前記支持板の前記支持孔を貫通し、前記ロッド部の中間部に取り付けた湾曲凸部材を前記湾曲凹部に嵌合させ少なくとも揺動可能に設けた操作レバーと、この操作レバーのロッド部を貫通させて先端側に係止されたスイッチ押圧部と、前記ロッド部を貫通させ前記支持孔の下部側に設けた受座部接する摩耗防止部材と、前記ロッド部を貫通させ前記摩耗防止部材に接するバネ受部材と、このバネ受部材と前記スイッチ押圧部との間に弾設された弾性手段と、前記スイッチ押圧部の回りに配置された複数のスイッチから成るスイッチ群と、このスイッチ群を挟んで前記支持板の係止部材に係止されたところのその中央部に設けた取付孔へ前記スイッチ押圧部を挿通させてガイドするガイド筒体を回動調節可能に設けたガイド板とで構成し、前記ガイド筒体を前記取付孔へ回動調節可能に取り付けるに当たり、前記ガイド筒体をその胴部の一端部に鍔部を有し、前記胴部の両側部に一対の係止部を有し、さらに前記胴部の中央部を貫通して平面略矩形状を呈した変形ガイド孔を有するものとし、前記取付孔をその中央部に軸心を共通にして設けたところの前記鍔部を収容する大径部と前記胴部を収容するところの小径部から成る段付き取付孔とし、前記小径部にはその内周の対向位置に軸方向を貫通するところの前記係止部を挿通させるガイド溝が設けられると共に、さらに前記小径部の縁部には、前記係止部と嵌合する各一対の第１嵌合凹部と第２嵌合凹部が所定間隔を空けて軸方向へ貫通することなく対向して設けられ、前記ガイド板には段付き取付孔から外方向に向けて互いに対向するガイド長溝が設けられ、このガイド長溝にはそれぞれ弾性片がその自由端側で前記鍔部を押えるように前記ガイド板と一体に設けられていることを特徴とする。
【００１１】
本発明はまた、前記摩耗防止部材を前記受座部に設けた凹部に嵌め込み、前記バネ受部材の挿通孔の縁部に設けたリング状の係合部を前記摩耗防止部材の挿通孔へ嵌入させていることを特徴とする。
【００１２】
本発明はさらに、前記ガイド筒体の鍔部と前記段付き取付孔の大径部との間に、軸方向に所定の間隙が設けることを特徴とする。
【００１３】
本発明はまた、前記スイッチ群を、その中央部に前記操作レバーに取り付けた前記スイッチ押圧部を有する筒体を挿通させる挿通孔を設けた回路基板と、この回路基板の前記挿通孔の周りに前記スイッチ押圧部を囲んで取り付けた複数のスイッチとで構成することができる。
【００１４】
そして、本発明は、上記各複合操作スイッチを操作盤に取り付けたことを特徴とする。
【発明の効果】
【００１５】
本発明は、操作レバーのロッド部を挿通させる支持板に設けた支持孔の下面に設けられたバネ受部材の受座部と当該バネ受部材との間に摩耗防止部材を設けたので、操作レバーの激しい操作によって受座部が傷ついてしまったり、摩耗してしまうことを防止できるものであり、その結果、長期間に渡るに使用の後でも、操作レバーによるスイッチ操作に誤動作が生じてしまうのを有効に防止できるものである。
【００１６】
また、ガイド筒体をガイド板の取付孔へ回動調節可能に取り付けるに当たり、ガイド筒体をその胴部の一端部に鍔部を有し、前記胴部の両側部に一対の係止部を有し、さらに前記胴部の中央部を貫通して平面略矩形状を呈した変形ガイド孔を有するものとし、前記取付孔をその中央部に軸心を共通にして設けたところの前記鍔部を収容する大径部と前記胴部を収容するところの小径部から成る段付き取付孔とし、前記小径部にはその内周の対向位置に軸方向を貫通するところの前記係止部を挿通させるガイド溝が設けられると共に、前記小径部の縁部には、前記係止部と嵌合する各一対の第１嵌合凹部と第２嵌合凹部が所定間隔を空けて軸方向へ貫通することなく対向して設けられ、前記ガイド板には段付き取付孔から外方向に向けて互いに対向するガイド長溝が設けられ、このガイド長溝にはそれぞれ弾性片がその自由端側で前記鍔部を押えるように前記ガイド板と一体に設けたので、ガイド筒体の係止部が、第１嵌合凹部或は第２嵌合凹部としっかりと係合することになったことから、操作レバーを強い力で搖動させても、筒体のスイッチ押圧部が衝突する変形ガイド孔を介してガイド筒体をガイド板から取り外さなくとも回転してしまうことを有効に防止して、誤動作が生じてしまうことを防ぐことができるものである。
【００１７】
その際に、前記摩耗防止部材を前記受座部に設けた凹部に嵌め込み、前記バネ受部材の挿通孔の端部に設けたリング状の係合部を前記摩耗防止部材の挿通孔へ嵌入させると、操作レバーの動作が安定すると共に、摩耗防止部材が操作レバーの搖動操作によって受座部に対して摺動することがないので、受座部の摩耗を防止できるものである。
【００１８】
また、前記ガイド筒体の鍔部と前記段付き取付孔の大径部との間に、軸方向に所定の間隙を設けると、ガイド筒体のガイド板に対する回転操作を容易に行うことができるものである。
【００１９】
そして、本発明に係る複合操作スイッチを、各種機器の操作盤に用いると、各種機器の操作性の向上を図ることができるものである。
【図面の簡単な説明】
【００２０】
【図１】本発明に係る複合操作スイッチを用い家庭用のテレビゲーム機の操作盤の斜視図である。
【図２】本発明に係る複合操作スイッチの側面図である。
【図３】本発明に係る複合操作スイッチの斜視図である。
【図４】本発明に係る複合操作スイッチを上側から見た分解斜視図である。
【図５】本発明に係る複合操作スイッチを下側から見た分解斜視図である。
【図６】本発明に係る複合操作スイッチの底面図である。
【図７】本発明に係る複合操作スイッチの縦断面図である。
【図８】本発明に係る複合操作スイッチの操作レバーを搖動させてみた縦断面図である。
【図９】本発明に係る複合操作スイッチのガイド板からガイド筒体を取ってみた状態の当該ガイド板の底面図である。
【図１０】本発明に係る複合操作スイッチのガイド板に対しガイド筒体を取り付けてみた状態の当該ガイド板の平面図である。
【図１１】図１０におけるA−A線断面図である。
【図１２】図１０におけるB−B線断面図である。
【図１３】図１０におけるC−C線断面図である。
【図１４】本発明に係る複合操作スイッチのガイド板に対しガイド筒体をさらに時計方向へ回転させてみた状態の当該ガイド板の平面図である。
【発明を実施するための形態】
【００２１】
以下に本発明の実施例を図面に基づいて詳細に説明する。尚、操作盤については、家庭用のテレビゲーム機の操作盤を図示しているが、これは一例であって、図示したものに限定されない。それは家庭用のテレビゲーム機の操作盤以外に業務用のテレビゲーム機の操作盤、その他の各種装置の複合操作スイッチを用いる操作盤が含まれる。
【実施例１】
【００２２】
図１は本発明に係る複合操作スイッチを用いた主として家庭用のテレビゲーム機の操作盤Ａを示す。一般的にこの操作盤Ａは図示してないゲーム機本体に接続され、このゲーム機本体がテレビ受像機に接続される構成となっており、操作盤Ａ上に本発明に係る複合操作スイッチＢ並びにその他の押しボタン式スイッチＣ、Ｃ・・や操作スイッチＤ・・などが搭載されている。
【００２３】
図２〜図１４は本発明に係る複合操作スイッチＢの構造を説明するためのものである。
図面によれば、指示記号１は平面略矩形状を呈した合成樹脂製の支持板であり、左右に取付孔２ａを有する取付片２が突設されると共に、平面部にはその四角に取付孔３が設けられている。この支持板１には図示してないが実際の使用に際して図１に示した操作盤Ａ上へ取付孔３を介して固着される。この支持板１には中央部に支持孔４が設けられると共に、その上面側にこの支持孔４を囲んで湾曲凹部５が設けられている。
【００２４】
支持板１の下面側には同じく支持孔４を囲んで受座部６が設けられ、この受座部６に円形の凹部６ａが設けられると共に、この凹部６ａに挿通孔２３ａを有する金属プレート性の摩耗防止部材２３が嵌入設置されている。支持板１の下面にはさらにその縁部より弾性を附与された４本の係止部材７が垂設されると共に、この各係止部材７に対向して下部に係止突起８ａを有する台部８が突設されている。この各台部８同士の間にはそれぞれペアとなった係止ピン９ａと取付孔９ｂが設けられている。
【００２５】
指示記号１１で示されたものは操作レバーであり、この操作レバー１１は大径ロッド部１１ｆと小径ロッド部１１ｂから成り、大径ロッド部１１ｆの上端部に握り部１１ａが取り付けられている。尚、本願特許請求の範囲と明細書においては、この大径ロッド部１２ｆと小径ロッド部１１ｂを合わせて単にロッド部という場合がある。また、操作レバー１１の略中央部の大径ロッド部１１ｆと小径ロッド部１１ｂの合わせ目には、小径ロッド部１１ｂをその挿通孔１１ｄに挿通させて湾曲凸部材１１ｃが取り付けられており、この湾曲凸部材１１ｃを支持板１に設けた湾曲凹部５に嵌合させている。この操作レバー１１の小径ロッド部１１ｂは支持板１に設けた支持孔４と摩耗防止部材２３の挿通孔２３ａを貫通して当該支持板１の下方へ突出している。
【００２６】
この操作レバー１１の摩耗防止部材２３より突出した部分の小径ロッド部１１ｂをその挿通孔１２ｂへ挿通させたバネ受部材１２が、その挿通孔１２ｂの縁部に設けたリング状の係合部１２ａを摩耗防止部材２３の挿通孔２３ａに嵌合させつつ当接し、さらにこの小径ロッド部１１ｂには、弾性手段の一例として圧縮コイルスプリング１３及び小径の当接部１４ａと大径のスイッチ押圧部１４ｂを有する筒体１４の各部材が順に挿通されると共に、バネ受部材１２を摩耗防止部材２３に当接させ、小径ロッド部１１ｂの下端部に設けた周溝１１ｅにＥリング１５を装着することによって、操作レバー１１が支持板１の上側へ抜け出てくることなく揺動可能に、かつ、圧縮コイルスプリング１３の弾力により常に自立状態を保つように支持されている。
【００２７】
支持板１上の各台部８の間には、操作レバー１１の小径ロッド部１１ｂに取り付けた筒体１４の部分をその中央部に設けた挿通孔２４ｃヘ挿通させて成る回路基板２４と、この回路基板２４の挿通孔２４ｃの周りに筒体１４のスイッチ押圧部１４ｂを囲んで取り付けた４個のマイクロスイッチ１６ａと、から成るマイクロスイッチ群１６が、各押ボタン１６ｂを内側に向け、支持板１に設けた係止ピン９ａ、９ａ・・を挿通孔１６ｄ、１６・・・の各一方に挿入させて設置されている。各マイクロスイッチ１６ａに設けたもう一方の挿通孔１６ｄ、１６ｄ・・は、支持板１に設けた各取付孔９ｂ、９ｂ・・と連通しており、図示してない取付ビスにより、支持板１と一体になるように固着されるものである。各マイクロスイッチ１６ａはまた、回路基板２４に設けた各接続孔２４ｂへ各端子１６ｃを接続溶着させており、この回路基板２４から、まとめて集合端子部２４ａが設けられている。この回路基板２４の下部にはガイド板１７が各係止孔１７ａを支持板１より垂下させた係止部材７の係止鉤７ａへ係止させることによって着脱可能に取り付けられている。このガイド板１７は下面に一対ずつ設けた係止ピン１７ｂで各マイクロスイッチ１６ａを係止すると共に、各固定孔１７ｃへ台部８上に突設した係止突起８ａを嵌入させることにより、支持板１との間で回路基板２４を介して各マイクロスイッチ１６ａを挟持している。尚、スイッチはマイクロスイッチに限定されない。磁気センサーその他の回路のＯＮ、ＯＦＦを行うことのできるスイッチが含まれる。したがって、本願明細書、特許請求の範囲ではスイッチ、或はスイッチ群と称する場合がある。
【００２８】
ガイド板１７は、とくに図４と図５、及び図９乃至図１４に示したように、その中央部に軸心を共通にして設けた大径部１８ａと小径部１８ｂから成る段付き取付孔１８が設けられ、小径部１８ｂにはその対向位置に内周の軸方向を貫通するガイド溝１８ｃ、１８ｃが設けられると共に、さらにこの小径部１８ｂの縁部には、各一対の第１嵌合凹部１９ａ、１９ａと第２嵌合凹部１９ｂ、１９ｂが互いに対向しつつ所定間隔を空けて軸方向へ貫通することなく設けられている。さらに、ガイド板１７には段付き取付孔１８から外方向に向けて互いに対向するガイド長溝２０、２０が設けられ、このガイド長溝２０、２０にはそれぞれ湾曲した弾性片２１、２１がその自由端側を段付き取付孔１８に向けて一体に形成されている。
【００２９】
ガイド筒体２２は、胴部２２ａと、この胴部２２ａの一端部に設けた鍔部２２ｂと、胴部２２ａの両側部の略中央部より半径方向へ突出させて係止部２２ｃ、２２ｃが設けられており、この係止部２２ｃ、２２ｃからはさらに軸方向へ突出した摘み部２２ｄ、２２ｄが設けられている。このガイド筒体２２にはさらに胴部２２ａを軸方向に貫通して平面略矩形状を呈した変形ガイド孔２２ｅが設けられている。このガイド筒体２２は、とくに図６と図７に示したように、その鍔部２２ｂの部分を大径部１８ａに、その胴部２２ａの部分を小径部１８ｂに挿通させ、さらに係止部２２ｃ、２２ｃを第１嵌合凹部１９ａ、１９ａと嵌合させて取り付けられおり、この状態において鍔部２２ｂと大径部１８ａの軸方向との間には、とくに７と８及び図１１、１２、１３に示したように間隙ａが設けられている。そして、各弾性片２１、２１の自由端側は、鍔部２２ｂの部分を押し、ガイド筒体２２をマイクロスイッチ群１６の方向へ押圧させている。
【００３０】
次に、本発明に係る複合操作スイッチの作用について説明する。ガイド板１７に設けた段付き取付孔１８へガイド筒体２２を取り付ける際には、係止部２２ｃ，２２ｃの位置をガイド溝１８ｃ、１８ｃに合わせて大径部１８ａの方から胴部２２ａを挿入させ、大径部１８ａの方から押すと、ガイド筒体２２は鍔部２２ｂの当たっている弾性片２１，２１の弾力に抗して押込まれる。そして係止部２２ｃ、２２ｃがガイド溝１８ｃ、１８ｃから脱してガイド板１７の表面から突出するので、鍔部２２ｂの部分に対する押圧力を維持したままで摘み部２２ｄ、２２ｄの部分を指で押してガイド筒体２２を時計方向へ回転させて係止部２２ｃ、２２ｃと第１嵌合凹部１９ａ、１９ａを嵌合させる。このようにしてガイド筒体２２のガイド板１７に対する取り付けがなされるものである。
【００３１】
この状態で弾性片２１、２１が鍔部２２ｂを押しているので、ガイド筒体２２の係止部２２ｃ、２２ｃと第１嵌合凹部１９ａ、１９ａとの嵌合状態が安定し、ガイド板１７を支持板１の係止部材７へ係止させて複合操作スイッチＢを組み立てた後、これをテレビゲーム機などの操作盤へ取り付け、操作レバー１１を強く乱暴に操作しても、ガイド筒体２２がガイド板１７より抜け出てしまったり、回転してしまったりすることがないものである。
【００３２】
操作レバー１１の搖動方向により、該操作レバー１１が例えばマイクロスイッチ１６ａの２つを同時にＯＮ、ＯＦＦできるようにする場合には、ガイド筒体２２の係止部２２ｃ、２２ｃより突出している摘み部２２ｄ、２２ｄを指で摘まんで上方へ引っ張ると、ガイド筒体２２の鍔部２２ｂと大径部１８ａの軸方向との間には、上述したように間隙ａがあることから、弾性片２１，２１の弾力に抗して軸方向へ移動する。次いで係止部２２ｃ、２２ｃと第１嵌合凹部１９ａ、１９ａとの間の嵌合状態が解離されたところで、摘み部２２ｄ、２２ｄを押して時計方向へさらにガイド筒体２２を回転させ、係止部２２ｃ、２２ｃが第２嵌合凹部１９ｂ、１９ｂの上に来た位置で手を放すと、係止部２２ｃ、２２ｃが第２嵌合凹部１９ｂ、１９ｂと嵌合し、ガイド筒体２２の変形ガイド孔２２ｅの位置が図１４に示したように変わる。そこで、図８に示したように、操作レバー１１を倒すと変形ガイド孔２２ｅのコーナー部２２ｆ、２２ｆに操作レバー１１のスイッチ押圧部１４ｂが嵌入した際に、マイクロスイッチ群１６のマイクロスイッチ１６ａを同時に２個ＯＮ、ＯＦＦさせることが可能となるものである。勿論、この場合でも操作レバー１１を傾倒させてスイッチ押圧部１４ｂで変形ガイド孔２２ｅの各辺縁部２２ｇと当接させることにより、各マイクロスイッチ１６ａを個々にＯＮ、ＯＦＦさせることは可能である。
【００３３】
これらのことは、図１４に示した状態のときは、図示したようにマイクロスイッチ群１６にマイクロスイッチ１６ａを４個用いた場合には、４方向切り変えと８方向切り変えの両方を一つの操作レバー１１で行なうことができることを意味する。
【００３４】
ガイド筒体２２の変形ガイド孔２２ｅの位置を元に戻す場合には、ガイド板１７を支持板１の係止部材７より取り外し、ガイド筒体２２の鍔部２２ｂの部分を押圧させると、ガイド筒体２２の鍔部２２ｂと大径部１８ａの軸方向との間には、上述したように間隙ａがあることから、弾性片２１，２１の弾力に抗して軸方向へ移動するので、係止部２２ｃ、２２ｃと第２嵌合凹部１９ｂ、１９ｂとの間の嵌合状態が解離されたところで、反時計方向へガイド筒体２２を回転させ係止部２２ｃ、２２ｃが第１嵌合凹部１９ａ、１９ａの上に来た位置で手を放すと、係止部２２ｃ、２２ｃが第１嵌合凹部１９ａ、１９ａと嵌合しガイド筒体２２の変形ガイド孔２２ｅの位置が元位置に戻ることになる。
【００３５】
何らかの事情で、ガイド板１７よりガイド筒体２２を取り外す場合には、ガイド板１７を支持板１の係止部材７より取り外し、ガイド筒体２２の鍔部２２ｂの部分を押圧させると、ガイド筒体２２の鍔部２２ｂと大径部１８ａの軸方向との間には、上述したように間隙ａがあることから、弾性片２１、２１の弾力に抗してガイド筒体２２が軸方向へ移動するので、係止部２２ｃ、２２ｃと第１嵌合凹部１９ａ、１９ａ或は第２嵌合凹部１９ｂ、１９ｂとの間の嵌合状態が解離されたところで、反時計方向へガイド筒体２２を回転させ係止部２２ｃ、２２ｃがガイド溝１８ｃ、１８ｃの上に来た位置で手を放すと、係止部２２ｃ、２２ｃがガイド溝１８ｃ、１８ｃを通して胴部２２ａを段付き取付孔１８から抜け出るので、ガイド筒体２２をガイド板１７から取り外すことが可能となるものである。
【００３６】
次に、ガイド筒体２２の係止部２２ｃ、２２ｃが、図６と図に示したように、第１嵌合凹部１９ａ、１９ａと係合している状態においては、各辺縁部２２ｇが各マイクロスイッチ１６ａの押ボタン１６ｂに対応した位置にある。そこで、操作レバー１１の握り部１１ａを持って傾動（搖動という場合もある。）させると、スイッチ押圧部１４ｂが変形ガイド孔２２ｅの各辺縁部２２ｇに当接することによりこの辺縁部２２ｇに対応したマイクロスイッチ１６ａのみの押ボタン１６ｂをスイッチ押圧部１４ｂで個別的にＯＮ、ＯＦＦできることになる。そして、この状態の時に各コーナー部２２ｆの方向へ操作レバー１１を倒しても、その方向には２つのマイクロスイッチ１６ａの押ボタン１６ｂを同時にＯＮ、ＯＦＦできるほど、操作レバー１１を傾倒させることができないので、複数のマイクロスイッチ１６ａのうち２つを同時に開閉させることはできず、各マイクロスイッチ１６ａを１個ずつを開閉できるのみである。
【００３７】
尚、操作レバー１１の搖動操作時に支持板１の受座部６の凹部６ａに圧接しているバネ受部材１２は、受座部６との間に摩耗防止部材２３が設けられているので、受座部６の部分が摩耗したり傷ついてしまったりすることがないので、永年使用ののちにおいても、マイクロスイッチ１６ａの操作が不正確になったり、誤作動してしまうことを防止できるものである。そして、摩耗防止部材２３は受座部６に設けた凹部６ａに嵌入しているので、操作レバー１１が搖動する際に、搖動する方向へ摺動することはないので、異音の発生を防止できる。このことは、摩耗防止部材２３が操作レバー１１と共に摺動するように構成することを妨げるものではない。このように実施しても、受座部６の摩耗が、摩耗防止部材２３を設けないものよりも防止されるものである。
【００３８】
さらに、上述したように、バネ受部材１２の上部に摩耗防止部材２３の挿通孔２３ａに嵌合するリング状の係合部１２ａを設けると、図８に示したように、操作レバー１１の搖動時に係合部１２ａの一部が挿通孔２３ａと係合した状態で搖動することになることから、操作レバー１１の操作がより安定したものになることが期待できるものである。しかしながら、このように構成しなくとも、摩耗防止部材２３による支持板１の受座部６の摩耗などを防止できるものである。
【００３９】
尚、図示してないが本発明は、マイクロスイッチ群を複数段（通常は２段であるが）重ね合わせて配置した場合にもそのまま実施できるものであり、図示のような一段のマイクロスイッチ群のものに限定されない。
【００４０】
本発明は上述した従来の公知構成の回路基板を有しない複合操作スイッチにもそのまま応用できるものであり、本発明に係る先の実施例の構成に限定されない。また、図示はしていないがマイクロスイッチ群が複数段設けられる場合には、各段ごとにマイクロスイッチを搭載させた集合端子付きの回路基板が設けられるものである。
【産業上の利用可能性】
【００４１】
本発明は以上のように構成したので、従来公知のものに比べて、より耐久性と操作性の向上が図られた家庭用、或は業務用の各種テレビゲーム機、その他の装置の操作盤に用いられる複合操作スイッチ、或は本発明に係る複合操作スイッチを用いた操作盤として好適に用いられるものである。
【符号の説明】
【００４２】
Ａ  操作盤
Ｂ  複合操作スイッチ
Ｃ  押しボタン式スイッチ
Ｄ  操作スイッチ
１  支持板
４  支持孔
５  湾曲凹部
６  受座部
６ａ  凹部
７  係止部材
８  台部
１１  操作レバー
１１ｃ  湾曲凸部材
１２  バネ受部材
１２ａ  係合部
１３  圧縮コイルスプリング
１４  筒体
１４ａ  当接部
１４ｂ  スイッチ押圧部
１６  マイクロスイッチ群
１６ａ  マイクロスイッチ
１６ｂ  押ボタン
１７  ガイド板
１７ａ  係止孔
１７ｂ  係止ピン
１８  段付き取付孔
１８ａ  大径部
１８ｂ  小径部
１８ｃ  ガイド溝
１９ａ  第１嵌合凹部
１９ｂ  第２嵌合凹部
２１  弾性片
２２  ガイド筒体
２２ａ  胴部
２２ｂ  鍔部
２２ｃ  係止部
２２ｅ  変形ガイド孔
２３  摩耗防止部材
２３ａ  挿通孔
２４  回路基板
【要約】
【課題】耐久性を向上させ、永年使用の後にも正確なスイッチ操作を行うことができるように成した複合操作スイッチ並びにこの複合操作スイッチを用いた操作盤を提供する。
【解決手段】操作レバーの前記ロッド部に取り付けられバネ受部材と支持板の支持孔の下部側に設けた受座部との間に摩耗防止部材を設けたり、或はガイド筒体を取り付けるべくガイド板に設けた段付き取付孔にガイド筒体に設けた係止部と嵌合する第１嵌合凹部と第２嵌合凹部を単体で独立して設けたことで解決した。
【選択図】図４【図１】
0005450770.tif 000002
【図２】
0005450770.tif 000003
【図３】
0005450770.tif 000004
【図４】
0005450770.tif 000005
【図５】
0005450770.tif 000006
【図６】
0005450770.tif 000007
【図７】
0005450770.tif 000008
【図８】
0005450770.tif 000009
【図９】
0005450770.tif 000010
【図１０】
0005450770.tif 000011
【図１１】
0005450770.tif 000012
【図１２】
0005450770.tif 000013
【図１３】
0005450770.tif 000014
【図１４】
0005450770.tif 000015